(57)【要約】【課題】データ放送で用いられているスクリプト言語の解釈エンジンを実装しない携帯端末を端末とすると共に、デジタル放送回線に与える負荷を低く抑えることが可能なデジタル放送システムを提供する。【解決手段】番組と一緒に放送される番組関連情報を通信サイトに送信する際に、携帯端末で処理可能なデータフォーマットを通信サイトに通知する。通信サイトは通信回線を介して指定されたデータフォーマットにて端末に返信する。【選択図】　　　図１
2004120489.tif 000002
【特許請求の範囲】
【請求項１】
放送局が放送する番組コンテンツに対応するデータである放送番組連動データを、端末に送信する通信方法において、
放送局から番組コンテンツを放送する段階イと、
番組コンテンツを受信した端末が、通信回線を介して予め定められた通信サイトに対して番組コンテンツを通知する段階ロと、
通知された番組コンテンツに応じた放送番組連動データを、通信回線を介して通信サイトから端末に送信する段階ハと
を含むことを特徴とする通信方法。
【請求項２】
請求項１に記載の通信方法において、
段階ロで、端末は、番組コンテンツと共に、当該端末で処理可能なデータフォーマットを、通信回線を介して通信サイトに通知し、
段階ハで、通信サイトは、通知されたデータフォーマットに則した放送番組連動データを、端末に送信する
ことを特徴とする通信方法。
【請求項３】
請求項１に記載の通信方法において、
段階イで、放送局が、番組コンテンツに対応するデータを、データ放送コンテンツとして放送する通信方法であって、
更に、データ放送コンテンツを放送番組連動データに変換する段階ニを含む
ことを特徴とする通信方法。
【請求項４】
請求項３に記載の通信方法において、
更に、放送局から通信サイトにデータ放送コンテンツを送信する段階ホを含み、
通信サイトにて段階ニを行なう
ことを特徴とする通信方法。
【請求項５】
請求項４に記載の通信方法において、段階ホで、データ放送コンテンツは、放送波を介して送信されることを特徴とする通信方法。
【請求項６】
請求項４に記載の通信方法において、段階ホで、データ放送コンテンツは、通信回線を介して送信されることを特徴とする通信方法。
【請求項７】
請求項３に記載の通信方法において、
段階ニが放送局にて実行される通信方法であって、
更に、通信回線を介して放送局から通信サイトに放送番組連動データを送信する段階を含む
ことを特徴とする通信方法。
【請求項８】
請求項１に記載の通信方法において、通信回線のうち、少なくとも端末側は、移動通信網の無線回線であることを特徴とする通信方法。
【請求項９】
請求項８に記載の通信方法において、
更に、端末の位置情報を生成する段階を含み、
段階ロで、端末が、番組コンテンツと共に端末の位置情報を通信サイトに通知し、
段階ハで、通知された番組コンテンツ及び位置情報に応じた放送番組連動データを送信する
ことを特徴とする通信方法。
【請求項１０】
請求項９に記載の通信方法において、端末が接続している移動通信網の基地局に応じて位置情報を生成することを特徴とする通信方法。
【請求項１１】
請求項９に記載の通信方法において、端末はＧＰＳ（Ｇｌｏｂａｌ　Ｐｏｓｉｔｉｏｎｉｎｇ　Ｓｙｓｔｅｍ）による測位結果を参照して位置情報を生成することを特徴とする通信方法。
【請求項１２】
請求項１に記載の通信方法において、端末は、放送局が送出する放送波を介して通信サイトのアドレスを取得することを特徴とする通信方法。
【請求項１３】
請求項１に記載の通信方法において、
通信サイトのアドレスを格納すると共に、通信回線に接続された記憶装置を予め用意し、
通信回線を介して記憶装置に接続して通信サイトのアドレスを取得する
ことを特徴とする通信方法。
【請求項１４】
請求項１に記載の通信方法において、
放送番組連動データはコンピュータ言語にて記述され、
端末はコンピュータ言語を解釈する
ことを特徴とする通信方法。
【請求項１５】
請求項１に記載の通信方法において、段階ロで、端末は、番組コンテンツと共に、放送局が番組コンテンツを送信した時刻、または、端末が番組コンテンツを受信した時刻を、通信サイトに通知することを特徴とする通信方法。
【請求項１６】
番組コンテンツに対応するデータである放送番組連動データを送信する放送通信システムにおいて、
番組コンテンツを放送する放送局と、番組コンテンツを受信する手段及び通信回線に接続する手段の両方を備える端末と、通信回線に接続された通信サイトを備え、
放送局から番組コンテンツを受信すると、端末は、通信回線を介して通信サイトに番組コンテンツを通知し、
端末から番組コンテンツを通知されると、通信サイトは、番組コンテンツに応じた放送番組連動データを通信回線を介して端末に送信する
ことを特徴とする放送通信システム。
【請求項１７】
請求項１６に記載の放送通信システムにおいて、
端末は、番組コンテンツと共に、当該端末で処理可能なデータフォーマットを、通信回線を介して通信サイトに通知し、
通信サイトは、通知されたデータフォーマットに則した放送番組連動データを、端末に送信する
ことを特徴とする放送通信システム。
【請求項１８】
請求項１６に記載の放送通信システムにおいて、
放送局は、番組コンテンツに対応するデータを、データ放送コンテンツとして放送し、
更に、データ放送コンテンツを放送番組連動データに変換する手段を備える
ことを特徴とする放送通信システム。
【請求項１９】
請求項１６に記載の放送通信システムにおいて、通信サイトは、データ放送コンテンツを受信する手段、及び、データ放送コンテンツを放送番組連動データに変換する手段を備える
ことを特徴とする放送通信システム。
【請求項２０】
請求項１９に記載の放送通信システムにおいて、データ放送コンテンツを受信する手段は、放送波を介してデータ放送コンテンツを受信することを特徴とする放送通信システム。
【請求項２１】
請求項１９に記載の放送通信システムにおいて、データ放送コンテンツを受信する手段は、通信回線を介してデータ放送コンテンツを受信することを特徴とする放送通信システム。
【請求項２２】
請求項１６に記載の放送通信システムにおいて、放送局は、データ放送コンテンツを放送番組連動データに変換する手段、及び、通信回線を介して通信サイトに放送番組連動データを送信する手段を備えることを特徴とする放送通信システム。
【請求項２３】
請求項１６に記載の放送通信システムにおいて、通信回線のうち、少なくとも端末側は、移動通信網の無線回線であることを特徴とする放送通信システム。
【請求項２４】
請求項２３に記載の放送通信システムにおいて、
更に、端末の位置情報を生成する手段を備え、番組コンテンツと共に端末の位置情報を通信サイトに通知し、
通信サイトは、通知された番組コンテンツ及び位置情報に応じた放送番組連動データを端末に送信する
ことを特徴とする放送通信システム。
【請求項２５】
請求項２４に記載の放送通信システムにおいて、端末の位置情報を生成する手段は、端末が接続している移動通信網の基地局に応じて位置情報を生成することを特徴とする放送通信システム。
【請求項２６】
請求項２４に記載の放送通信システムにおいて、端末の位置情報を生成する手段は、端末が備えるＧＰＳ（Ｇｌｏｂａｌ　Ｐｏｓｉｔｉｏｎｉｎｇ　Ｓｙｓｔｅｍ）であることを特徴とする放送通信システム。
【請求項２７】
請求項１６に記載の放送通信システムにおいて、端末は、放送局が送出する放送波を介して通信サイトのアドレスを取得することを特徴とする放送通信システム。
【請求項２８】
請求項１６に記載の放送通信システムにおいて、
更に、通信サイトのアドレスを格納すると共に、通信回線に接続される記憶装置を備え、
端末は、通信回線を介して記憶装置に接続して通信サイトのアドレスを取得する
ことを特徴とする放送通信システム。
【請求項２９】
請求項１６に記載の放送通信システムにおいて、端末は通信サイトのアドレスを格納する記憶装置を備えることを特徴とする放送通信システム。
【請求項３０】
請求項１６に記載の放送通信システムにおいて、
放送番組連動データはコンピュータ言語にて記述され、
端末はコンピュータ言語を解釈する
ことを特徴とする放送通信システム。
【請求項３１】
請求項１６に記載の放送通信システムにおいて、端末は、番組コンテンツと共に、放送局が番組コンテンツを送信した時刻、または、端末が番組コンテンツを受信した時刻を、通信サイトに通知することを特徴とする放送通信システム。
【請求項３２】
放送局から送信された放送波を受信する手段、及び、通信回線に接続する手段を備え、
放送波を介して番組コンテンツを受信すると、通信回線を介して予め定められた通信サイトに番組コンテンツを通知して、
番組コンテンツに応じたデータである放送番組連動データを通信回線を介して通信サイトから受信する
ことを特徴とする端末。
【請求項３３】
請求項３２に記載の端末において、
番組コンテンツと共に、当該端末で処理可能なデータフォーマットを、通信回線を介して通信サイトに通知し、
通知したデータフォーマットに則した放送番組連動データを、通信サイトから受信する
ことを特徴とする端末。
【請求項３４】
請求項３２に記載の端末において、通信回線に接続する手段は、移動通信網の無線回線に接続することを特徴とする端末。
【請求項３５】
請求項３４に記載の端末において、
更に、端末の位置情報を生成する手段を備え、
番組コンテンツと共に位置情報を通信サイトに通知し、
通知した番組コンテンツ及び位置情報に応じた放送番組連動データを通信サイトから受信する
ことを特徴とする端末。
【請求項３６】
請求項３５に記載の端末において、端末の位置情報を生成する手段は、端末が接続している移動通信網の基地局に応じて位置情報を生成することを特徴とする端末。
【請求項３７】
請求項３５に記載の端末において、端末の位置情報を生成する手段は、ＧＰＳ（Ｇｌｏｂａｌ　Ｐｏｓｉｔｉｏｎｉｎｇ　Ｓｙｓｔｅｍ）であることを特徴とする端末。
【請求項３８】
請求項３２に記載の端末において、放送局が送出する放送波を介して通信サイトのアドレスを取得することを特徴とする端末。
【請求項３９】
請求項３２に記載の端末において、通信回線を介して、通信サイトのアドレスを格納する記憶装置に接続し、通信サイトのアドレスを取得することを特徴とする端末。
【請求項４０】
請求項３２に記載の端末において、通信サイトのアドレスを格納する記憶装置を備えることを特徴とする端末。
【請求項４１】
請求項３２に記載の端末において、
放送番組連動データはコンピュータ言語にて記述され、
端末はコンピュータ言語を解釈する手段を備える
ことを特徴とする端末。
【請求項４２】
請求項３２に記載の端末において、番組コンテンツと共に、放送局が番組コンテンツを送信した時刻、または、端末が番組コンテンツを受信した時刻を、通信サイトに通知することを特徴とする端末。
【請求項４３】
通信回線に接続されたコンピュータを動作させるコンピュータプログラムにおいて、
放送波を介して端末が放送局から受信した番組コンテンツの通知を、通信回線を介して受信する処理ａと、
通知された番組コンテンツに応じた放送番組連動データを、通信回線を介して端末に送信する処理ｂと
を含むことを特徴とするコンピュータプログラム。
【請求項４４】
請求項４３に記載のコンピュータプログラムにおいて、
処理ａは、番組コンテンツと共に、端末で処理可能なデータフォーマットの通知を、通信回線を介して受信し、
処理ｂは、通知されたデータフォーマットに則した放送番組連動データを、端末に送信する
ことを特徴とするコンピュータプログラム。
【請求項４５】
請求項４３に記載のコンピュータプログラムにおいて、
番組コンテンツに対応するデータ放送コンテンツを、放送局から受信する処理ｃと、
データ放送コンテンツを放送番組連動データに変換する処理ｄと
を更に含むことを特徴とするコンピュータプログラム。
【請求項４６】
請求項４５に記載のコンピュータプログラムにおいて、処理ｃは、放送波を介してデータ放送コンテンツを受信することを特徴とするコンピュータプログラム。
【請求項４７】
請求項４５に記載のコンピュータプログラムにおいて、処理ｃは、通信回線を介してデータ放送コンテンツを受信することを特徴とするコンピュータプログラム。
【請求項４８】
請求項４５に記載のコンピュータプログラムにおいて、処理ｄは、データ放送コンテンツを、コンピュータ言語にて記述された放送番組連動データに変換することを特徴とするコンピュータプログラム。
【請求項４９】
請求項４３に記載のコンピュータプログラムにおいて、
処理ａは、番組コンテンツの通知と共に、端末の位置情報を受信し、
処理ｂは、通知された番組コンテンツ及び位置情報に応じた放送番組連動データを端末に送信する
ことを特徴とするコンピュータプログラム。
【請求項５０】
請求項４３に記載のコンピュータプログラムにおいて、
処理ａは、番組コンテンツの通知と共に、放送局が番組コンテンツを送信した時刻、または、端末が番組コンテンツを受信した時刻の通知を受信し、
処理ｂは、通知された時刻に応じた放送番組連動データを端末に送信する
ことを特徴とするコンピュータプログラム。
【発明の詳細な説明】
【０００１】
【発明の属する技術分野】
本発明は放送システム及び通信システムに関する。特に、本発明は、デジタル放送システムが提供する双方向サービスに関する。
【０００２】
【従来の技術】
デジタル放送システムは視聴者の操作に応じて表示内容が変化する双方向サービスをサポートしている。従来のデジタル放送システム１００について図１５を参照して以下に説明する。デジタル放送システム１００は端末１０１及び放送局１０２からなる。放送局１０２は、番組コンテンツ１０３及びデータ放送コンテンツ１０４を、デジタル放送回線１０５を介して端末１０１に送信する。データ放送コンテンツｅは、例えばＢＭＬ（Ｂｒｏａｄｃａｓｔ　Ｍａｒｋｕｐ　Ｌａｎｇｕａｇｅ）のようなデータ放送用に適したマークアップ言語やスクリプト言語で記述される。こうした従来の放送通信システム１００は、データ放送コンテンツ１０４をデジタル放送回線１０５で配信しているために、様々な問題を抱えている。
【０００３】
従来、端末はマークアップ言語やスクリプト言語を解釈する処理を実行する機能を備える必要がある。この処理を行なうプログラムとして例えばスクリプトエンジンを端末に実装しなければならないが、スクリプトエンジンは端末のメモリに対する負荷となる。また、スクリプトエンジンの開発や動作の検証等の作業が必要となる。これらは端末の信頼性を損なったり、端末の価格を上昇させてしまう一因となる。
【０００４】
また、マークアップ言語やスクリプト言語を使って記述されるコンテンツをデジタル放送回線で配信しなければならなかったため、デジタル放送回線の帯域が小さい場合には回線に対する負荷となる。このため、コンテンツのバイト量を小さくするか、コンテンツの送信周期を長くする必要が発生し、視聴者に対するサービスの質の低下につながっていた。
【０００５】
また、放送配信されるデータは、その放送信号を受信することが可能なエリア内においては場所に寄らず同一であるため、受信位置によって異なるサービスを提供することができなかった。
【０００６】
特に、携帯電話端末を始めとする各種の携帯端末に関する技術的進歩に伴い、デジタル放送システムの端末として携帯端末を用いることが考えられるようになっているが、デジタル放送システム１００の端末１０１として携帯端末を用いることを考えると、様々な問題が考えられる。
【０００７】
まず、端末１０１がＢＭＬのようなマークアップ言語やスクリプト言語を解釈できるようにしなければならない。しかし、従来の携帯端末はこの種のマークアップ言語等を解釈できるようにはなっていない。こうした機能を携帯端末に付加するためには、携帯端末用のマークアップ言語等の解釈エンジンを新たに開発し、その動作を検証する作業をしなければならない。また、携帯端末のハードウェア仕様を変更せずにこの解釈エンジンを携帯端末に追加して実装する場合、携帯端末のハードウェアリソースを圧迫し、動作速度に悪影響を与えることになる。
【０００８】
デジタル放送システム１００では、データ放送コンテンツ１０４の配信手段としてデジタル放送回線１０５を用いている。このため、データ放送コンテンツ１０４のバイト量は、デジタル放送回線１０５の帯域により制限を受ける。デジタル放送回線１０５の帯域が狭い場合、データ放送コンテンツ１０４のバイト量を小さくするか、データ放送コンテンツ１０５の送信周期を長くする必要がある。しかし、これらはいずれも視聴者に対するサービスの質の低下を招くものである。
【０００９】
また、一の放送局１０２から放送の配信を受ける端末は、いずれも、内容が同一のデータ放送コンテンツ１０４を受信する。従って、端末毎に異なる内容を有するデータ放送コンテンツ１０４を受信することができない。特に、携帯端末を端末とする場合、その位置に応じて異なるデータ放送コンテンツが配信できることが望ましいが、従来のシステムでは、端末の所在地に応じた内容のデータ放送コンテンツ１０４を配信することができない。
【００１０】
このように、双方向放送に対応したデジタル放送システムでは、一般に、端末装置は番組コンテンツとデータ放送コンテンツを両方とも放送波経由で受信して再生する。このようなシステムでは、データ放送コンテンツは予め定められたフォーマットに則って記載される。ここでいうフォーマットは例えばマークアップ言語やスクリプト言語といった記述言語の指定を含む。このフォーマットは、原則として全ての端末装置にて処理可能であることが求められる。
【００１１】
しかし、フォーマットを決定・変更するためには放送業者、端末製造業者等の全関係者による事前協議が必要になる。ハードウェアの進歩や記述言語のバージョンアップといったソフトウェアの進歩に対する対応は業者毎に異なるので、こうした決定・変更を簡単に行なうことはできない。
【００１２】
端末として据え置き型と携帯型の両方を想定する場合、筐体の大きさが著しく異なるので、両者に同等の処理能力を与えることは難しい。また、画面の大きさが著しく異なるので、両端末に同一のフォーマットでデータ放送コンテンツを供給すると、どちらかの画面が見にくくなりやすい。
【００１３】
尚、本発明と同様にネットワーク上の通信サイトを利用した双方向サービスに関する従来技術として、例えば、特許文献１には、ネットワークサービスのアクセス先の案内情報を番組に同期して放送するものが記載されている。
【００１４】
【特許文献１】
特開平０９−１０２９４４号公報
【００１５】
【発明が解決しようとする課題】
以上のような状況に鑑みて、本発明が解決しようとする課題は、携帯端末にＢＭＬ等の解釈エンジンを追加する必要がない双方向サービスを提供することである。
【００１６】
また、本発明が解決しようとする他の課題は、データ放送コンテンツのバイト量を放送回線の帯域と関係なく定めることができる双方向サービスを提供することである。
【００１７】
また、本発明が解決しようとする他の課題は、携帯端末の所在地に応じて異なるデータ放送コンテンツを配信することができる双方向サービスを提供することである。
【００１８】
【課題を解決するための手段】
上述の課題を解決するため、本発明は以下のような通信方法、放送通信システム、端末及びコンピュータプログラムを提供する。
【００１９】
本発明は、放送局が放送する番組コンテンツに対応するデータである放送番組連動データを、端末に送信する通信方法において、次のような特徴を有する方法を提供する。即ち、この通信方法は、放送局から番組コンテンツを放送する段階イと、番組コンテンツを受信した端末が、通信回線を介して予め定められた通信サイトに対して番組コンテンツを通知する段階ロと、通知された番組コンテンツに応じた放送番組連動データを、通信回線を介して通信サイトから端末に送信する段階ハとを含むことを特徴とする。このような方法によれば、放送波を介して番組コンテンツを配信する一方、この番組コンテンツに連動したデータ、放送番組連動データを通信回線を介して配信することができる。このため、放送回線の帯域と無関係に放送番組連動データを配信することが可能となる。放送回線は代表的にはデジタル放送回線である。
【００２０】
この通信方法において、段階ロで、端末は、番組コンテンツと共に、当該端末で処理可能なデータフォーマットを、通信回線を介して通信サイトに通知し、段階ハで、通信サイトは、通知されたデータフォーマットに則した放送番組連動データを、端末に送信することとしてもよい。放送番組連動データは従来の双方向サービスにおけるデータ放送コンテンツに対応するが、データ放送コンテンツは放送回線を介して配信されるため、受信側の端末毎にデータフォーマットを変更することは不可能である。これに対し、本発明の方法では、放送番組連動データの配信を、通信回線を介して行なうので、端末毎に異なるデータフォーマットで送信することができる。
【００２１】
本発明の通信方法において、段階イで、放送局が、番組コンテンツに対応するデータを、データ放送コンテンツとして放送する場合、更に、データ放送コンテンツを放送番組連動データに変換する段階ニを含むこととしてもよい。従来の端末に配信するためにデータ放送コンテンツが用意される場合、これを変換して放送番組連動データを生成することになるので、放送番組連動データを改めて最初から生成する必要がなくなり、通信サイトの運営者の負担を抑えることができる。
【００２２】
データ放送コンテンツを放送番組連動データに変換する場合は、更に、放送局から通信サイトにデータ放送コンテンツを送信する段階ホを含み、通信サイトにて段階ニを行なうこととしてもよい。段階ホで、データ放送コンテンツは、放送波を介して送信されることとしてもよいし、あるいは、通信回線を介して送信されることとしてもよい。
【００２３】
または、データ放送コンテンツを放送番組連動データに変換する場合は、段階ニが放送局にて実行され、通信回線を介して放送局から通信サイトに放送番組連動データを送信する段階を含むこととしてもよい。
【００２４】
本発明は、通信回線のうち、少なくとも端末側は、移動通信網の無線回線である場合に特に効果がある。この場合、更に、端末の位置情報を生成する段階を含み、段階ロで、端末が、番組コンテンツと共に端末の位置情報を通信サイトに通知し、段階ハで、通知された番組コンテンツ及び位置情報に応じた放送番組連動データを送信することとしてもよい。こうすることにより、端末が処理可能なデータフォーマットだけではなく、端末の所在地によっても異なるデータを配信することが可能となる。位置情報を生成する手段としては、端末が接続している移動通信網の基地局に応じて位置情報を生成することとしてもよいし、端末がＧＰＳ（Ｇｌｏｂａｌ　Ｐｏｓｉｔｉｏｎｉｎｇ　Ｓｙｓｔｅｍ）による測位結果を参照して位置情報を生成することとしてもよい。
【００２５】
端末が通信サイトのアドレスを取得する手段としては、端末が、放送局が送出する放送波を介して通信サイトのアドレスを取得することとしてもよいし、あるいは、通信サイトのアドレスを格納すると共に、通信回線に接続された記憶装置を予め用意し、通信回線を介して記憶装置に接続して通信サイトのアドレスを取得することとしてもよい。
【００２６】
放送番組連動データのデータフォーマットに関して、放送番組連動データはコンピュータ言語にて記述され、端末はコンピュータ言語を解釈することとしてもよい。ここで、コンピュータ言語とは、ＨＴＭＬ（ｈｙｐｅｒｔｅｘｔ　ｍａｒｋｕｐ　ｌａｎｇｕａｇｅ）、ＸＴＭＬ（ｅｘｔｅｎｄｅｄ　ｍａｒｋｕｐ　ｌａｎｇｕａｇｅ）、ＢＭＬ（ｂｒｏａｄｂａｎｄ　ｍａｒｋｕｐ　ｌａｎｇｕａｇｅ）等のマークアップ言語、サン・マイクロシステムズ株式会社のＪａｖａ（登録商標）のようなスクリプト言語、バイナリーコード、バイトコード等、各種のコンピュータ言語が含まれる。
【００２７】
段階ロで、端末は、番組コンテンツと共に、放送局が番組コンテンツを送信した時刻、または、端末が番組コンテンツを受信した時刻を、通信サイトに通知することとしてもよい。
【００２８】
また、本発明は、番組コンテンツに対応するデータである放送番組連動データを送信する放送通信システムにおいて次のような特徴を有するものを提供する。即ち、本発明の放送通信システムは、番組コンテンツを放送する放送局と、番組コンテンツを受信する手段及び通信回線に接続する手段の両方を備える端末と、通信回線に接続された通信サイトを備え、放送局から番組コンテンツを受信すると、端末は、通信回線を介して通信サイトに番組コンテンツを通知し、端末から番組コンテンツを通知されると、通信サイトは、番組コンテンツに応じた放送番組連動データを通信回線を介して端末に送信することを特徴とする。
【００２９】
端末は、番組コンテンツと共に、当該端末で処理可能なデータフォーマットを、通信回線を介して通信サイトに通知し、通信サイトは、通知されたデータフォーマットに則した放送番組連動データを、端末に送信することとしてもよい。
【００３０】
放送局は、番組コンテンツに対応するデータを、データ放送コンテンツとして放送し、更に、本システムは、データ放送コンテンツを放送番組連動データに変換する手段を備えることとしてもよい。
【００３１】
通信サイトは、データ放送コンテンツを受信する手段、及び、データ放送コンテンツを放送番組連動データに変換する手段を備えることとしてもよい。このとき、データ放送コンテンツを受信する手段は、放送波を介してデータ放送コンテンツを受信することとしてもよいし、あるいは、通信回線を介してデータ放送コンテンツを受信することとしてもよい。
【００３２】
放送局は、データ放送コンテンツを放送番組連動データに変換する手段、及び、通信回線を介して通信サイトに放送番組連動データを送信する手段を備えることとしてもよい。
【００３３】
通信回線のうち、少なくとも端末側は、移動通信網の無線回線であることが望ましい。このとき、本システムは、更に、端末の位置情報を生成する手段を備え、番組コンテンツと共に端末の位置情報を通信サイトに通知し、通信サイトは、通知された番組コンテンツ及び位置情報に応じた放送番組連動データを端末に送信することとしてもよい。端末の位置情報を生成する手段は、端末が接続している移動通信網の基地局に応じて位置情報を生成することとしてもよいし、端末が備えるＧＰＳ（Ｇｌｏｂａｌ　Ｐｏｓｉｔｉｏｎｉｎｇ　Ｓｙｓｔｅｍ）であることとしてもよい。
【００３４】
端末は、放送局が送出する放送波を介して通信サイトのアドレスを取得することとしてもよい。このとき、本システムは、更に、通信サイトのアドレスを格納すると共に、通信回線に接続される記憶装置を備え、端末は、通信回線を介して記憶装置に接続して通信サイトのアドレスを取得することとしてもよい。また、端末は通信サイトのアドレスを格納する記憶装置を備えることとしてもよい。
【００３５】
放送番組連動データはコンピュータ言語にて記述され、端末はコンピュータ言語を解釈することとしてもよい。
【００３６】
端末は、番組コンテンツと共に、放送局が番組コンテンツを送信した時刻、または、端末が番組コンテンツを受信した時刻を、通信サイトに通知することとしてもよい。
【００３７】
また、本発明は、上記のような放送通信システムの端末として、次のような装置を提供する。即ち、放送局から送信された放送波を受信する手段、及び、通信回線に接続する手段を備え、放送波を介して番組コンテンツを受信すると、通信回線を介して予め定められた通信サイトに番組コンテンツを通知して、番組コンテンツに応じたデータである放送番組連動データを通信回線を介して通信サイトから受信する
ことを特徴とする端末を提供する。
【００３８】
この端末は、番組コンテンツと共に、当該端末で処理可能なデータフォーマットを、通信回線を介して通信サイトに通知し、通知したデータフォーマットに則した放送番組連動データを、通信サイトから受信することとしてもよい。
【００３９】
通信回線に接続する手段は、移動通信網の無線回線に接続することが望ましい。この場合、更に、端末の位置情報を生成する手段を備え、番組コンテンツと共に位置情報を通信サイトに通知し、通知した番組コンテンツ及び位置情報に応じた放送番組連動データを通信サイトから受信することとしてもよい。端末の位置情報を生成する手段は、端末が接続している移動通信網の基地局に応じて位置情報を生成することとしてもよいし、あるいは、ＧＰＳであってもよい。
【００４０】
通信サイトのアドレスを取得する手段としては、放送局が送出する放送波を介して通信サイトのアドレスを取得することとしてもよいし、通信回線を介して、通信サイトのアドレスを格納する記憶装置に接続し、通信サイトのアドレスを取得することとしてもよい。あるいは、通信サイトのアドレスを格納する記憶装置を備えることとしてもよい。
【００４１】
放送番組連動データはコンピュータ言語にて記述され、端末はコンピュータ言語を解釈する手段を備えることとしてもよい。
【００４２】
番組コンテンツと共に、放送局が番組コンテンツを送信した時刻、または、端末が番組コンテンツを受信した時刻を、通信サイトに通知することとしてもよい。
【００４３】
更に、本発明は、通信回線に接続されたコンピュータを動作させるコンピュータプログラムにおいて、次のような特徴を有するものを提供する。即ち、本発明のコンピュータプログラムは、放送波を介して端末が放送局から受信した番組コンテンツの通知を、通信回線を介して受信する処理ａと、通知された番組コンテンツに応じた放送番組連動データを、通信回線を介して端末に送信する処理ｂとを含むことを特徴とする。
【００４４】
処理ａは、番組コンテンツと共に、端末で処理可能なデータフォーマットの通知を、通信回線を介して受信し、処理ｂは、通知されたデータフォーマットに則した放送番組連動データを、端末に送信することとしてもよい。
【００４５】
番組コンテンツに対応するデータ放送コンテンツを、放送局から受信する処理ｃと、データ放送コンテンツを放送番組連動データに変換する処理ｄとを更に含むこととしてもよい。この場合、処理ｃは、放送波を介してデータ放送コンテンツを受信することとしてもよいし、あるいは、通信回線を介してデータ放送コンテンツを受信することとしてもよい。処理ｄは、データ放送コンテンツを、コンピュータ言語にて記述された放送番組連動データに変換することとしてもよい。
【００４６】
処理ａは、番組コンテンツの通知と共に、端末の位置情報を受信し、処理ｂは、通知された番組コンテンツ及び位置情報に応じた放送番組連動データを端末に送信することとしてもよい。
【００４７】
処理ａは、番組コンテンツの通知と共に、放送局が番組コンテンツを送信した時刻、または、端末が番組コンテンツを受信した時刻の通知を受信し、処理ｂは、通知された時刻に応じた放送番組連動データを端末に送信することとしてもよい。
【００４８】
【発明の実施の形態】
（１）第１の実施の形態
本発明の第１の実施の形態、放送通信システム１について以下に説明する。図１を参照すると、放送通信システム１は、放送局２、通信サイト３、携帯端末４からなる。放送局２はデジタル放送回線５を介して番組コンテンツ６を携帯端末４に配信している。通信サイト３と携帯端末４はネットワーク７を介して接続されている。携帯端末４から通信サイト３に番組リンク情報８が送信される一方、通信サイト３から携帯端末４に放送番組連動データ９が送信される。ネットワーク７は、移動通信網と、インターネット等の電気通信網とからなる。番組リンク情報８は携帯端末４が生成する情報であり、番組コンテンツ６に対応して生成される。通信サイト３には番組コンテンツ６に対応する放送番組連動データ９が予め用意されている。放送番組連動データ９は、データ放送に特化したマークアップ言語・スクリプト言語ではなく、ＨＴＭＬ（Ｈｙｐｅｒｔｅｘｔ　Ｍａｒｋｕｐ　Ｌａｎｇｕａｇｅ）のようにより一般的なマークアップ言語・スクリプト言語にて記述される。尚、ここで図示した携帯端末４は一基であるが、実際には複数の携帯端末４が放送通信システム１内に存在する。
【００４９】
次に図２を参照して携帯端末４について更に説明する。携帯端末４は、チューナ部２１、チャネル・デコーダ部２２、放送パケット処理部２３、放送データ解釈部２４、番組リンク情報生成部２５、クロック生成部２６、時刻情報生成部２７、通信プロトコル処理部２８、提示処理部２９、通信パケット処理部３０、チャネル処理部３１、ＲＦ処理部３２からなる。以下に各部について説明する。
【００５０】
チューナ部２１はデジタル放送波を受信して帯域フィルタをかけてデジタル搬送信号に変換する。チャネル・デコーダ部２２はデジタル搬送信号をトランスポートストリームに変換する。放送パケット処理部２３はトランスポートストリームを構成するパケットを種類別に分配する。放送データ解釈部２４は、分配されたパケットのうち、番組リンク情報の生成に必要な情報を含むパケットを処理し、番組リンク情報の生成に必要な情報を出力する。ここで番組リンク情報の生成に必要な情報とは、図３を参照して後述するイベント識別子４１、放送時刻情報４２、サービス識別子４３、ネットワーク識別子４４、及び、オリジナルネットワーク識別子４５等を含む。クロック生成部２６はクロック信号を出力する。時刻情報生成部２７はクロック信号を元に時刻情報を生成する。番組リンク情報生成部２５は、放送データ解釈部２４及び時刻情報生成部２６の出力を元に、予め定められたフォーマットに従って番組リンク情報８を生成する。
【００５１】
通信プロトコル処理部２８の制御の元、通信パケット処理部２９は番組リンク情報８をパケット化する。チャネル処理部３０はパケットを搬送信号に変換する。ＲＦ処理部３１は搬送信号を無線通信波として出力する。無線通信波は携帯無線基地局を経てネットワーク７上の通信サイト３に送信される。
【００５２】
これに対して、通信サイト３は番組リンク情報８に対応する放送番組連動データ９を携帯端末４に返信する。通信サイト３から返信された放送番組連動データ９は、ＲＦ処理部３１にて帯域フィルタを経てデジタル変換され、チャネル処理部２８にてデジタル信号に変換されて、通信パケットとして取り出される。通信パケット処理部２９は、通信プロトコル処理部２８の制御下で、提示処理部３２にパケットから取り出した放送番組連動データ９を出力する。提示処理部３２は放送番組連動データ９を視聴者に対して表示するための処理を行なう。各部が以上のように動作することにより、番組コンテンツ６と連動した放送番組連動データ９が携帯端末４の画面上に表示される。
【００５３】
ここで番組リンク情報８について図３を参照して説明する。番組リンク情報８を構成する情報の種類については既に述べたので、ここではそれぞれの情報について更に説明する。イベント識別子４１は同一のサービスに属している複数の番組の中からひとつの番組を特定するために用いられる識別子である。放送時刻情報４２は放送局２から放送された時刻を示す情報である。放送時刻情報４２を用いる代わりに、時刻情報生成部２６が生成する受信時刻情報を用いても良い。サービス識別子４３は一トランスポートストリームの中の一サービスに固有な識別子である。ネットワーク識別子４４はトランスポートストリームを伝送する分配システム、あるいは放送局系列を特定するために用いられる識別子である。オリジナルネットワーク識別子４５はネットワーク固有の識別子である。端末処理可能フォーマット情報４６は携帯端末４が新たに追加する情報であり、携帯端末４で処理可能なデータフォーマット、例えば、マークアップ言語の種類、スクリプト言語の種類、画像ファイルの種類、音声・映像ファイルの種類等を示す情報である。処理可能なフォーマット情報として、特定のマークアップ言語で記述されたデータを処理・表示できるかどうかを示すビット列、特定のプロファイルのＪａｖａ（登録商標）アプリケーションを処理・表示できるかどうかを示すビット列、特定のスクリプト言語を処理・表示できるかどうかを示すビット列、これら複数のデータ・フォーマットのコンテンツの間での連携を処理できるかどうかを示すビット列、等の組み合わせで実現できる。
【００５４】
放送通信システム１において、携帯端末４が双方向サービスを受ける過程について図４を参照して説明する。放送局２が放送した番組コンテンツ６と共にイベント識別子４１等の各情報を受信すると、携帯端末４は、これらの情報に端末処理可能フォーマット情報４６を付加して番組リンク情報８を生成する（ステップＳ１）。次に、携帯端末４は通信サイト３のＵＲＬ（Ｕｎｉｆｏｒｍ　Ｒｅｓｏｕｒｃｅ　Ｌｏｃａｔｏｒ）を取得する（ステップＳ２）。ＵＲＬは携帯端末４の記憶装置（不図示）に予め格納しておいてもよいし、あるいは、放送局２が放送し、放送データ解釈部２４がイベント識別子４１等と同様にパケットから抽出してもよい。携帯端末４は取得したＵＲＬにアクセスし、通信サイト３に番組リンク情報８を送信する。
【００５５】
通信サイト３には、番組コンテンツ６に対応する放送番組連動データ９が、複数の種類のデータフォーマットで予め格納されている。例えば、放送局２が放送する予定の番組コンテンツ６に対応する一部或いは全ての放送番組連動データ９が、様々なデータフォーマットにて通信サイト３のデータベースに格納されていてもよい。あるいは、通信サイト３が番組リンク情報８に応じた放送番組連動データ９を生成してもよい（ステップＳ３）。このようにして選択或いは生成された放送番組連動データ９が通信サイト３から携帯端末４に返信される。これを受信した携帯端末４が放送番組連動データ９を表示する（ステップＳ４）。
【００５６】
（２）第２の実施の形態
第１の実施の形態では、放送番組連動データを通信サイトに予め用意するものとし、どのように用意するかについては触れていなかった。このため、放送局から送出する番組コンテンツと、通信サイトから送出する放送番組連動データとの間の連携は、両者の運営者がなんらかの方法で行なう必要がある。即ち、現実的には放送事業者が両者を運営する必要がある。これに対して、第２の実施の形態である放送通信システム５０では、放送局が番組コンテンツと共に放送しているデータ放送コンテンツから放送番組連動データを生成する。このため、本実施の形態は、放送局と通信サイトの運営者が異なる場合であっても適応可能である。
【００５７】
図５を参照して放送通信システム５０の構成について説明する。放送通信システム５０の主要な構成要素は、放送局２、通信サイト３及び携帯端末４である。これらの中で通信サイト３が自動変換部５１を備える点で放送通信システム１と大きく異なる。
【００５８】
自動変換部５１は、放送局２が送出する放送波５を受信することにより、データ放送コンテンツ５２とこれに対応する番組配列情報５３を取得する。この間の自動変換部５１の動作は、前述のチューナ部２１、チャネル・デコーダ部２２、放送パケット処理部２３及び放送データ解釈部２４の動作に相当する。データ放送コンテンツの自動変換の一例として、デジタル放送で配信されたコンテンツがマークアップ言語とスクリプト言語で記述されていた場合、かつ、携帯端末２には同スクリプト言語の実行エンジンが搭載されていない場合、携帯端末２が期待通りの動作をするようＪａｖａ（登録商標）アプリケーションに変換することが考えられる。
【００５９】
データ放送コンテンツ５２は図１５の端末１０１のような従来の端末が受信するデータ放送のコンテンツである。番組配列情報５３は、データ放送コンテンツ５２を配送するトランスポートストリームに含まれる。また、番組配列情報５３は、図３のイベント識別子４１、放送時刻情報４２、サービス識別子４３、ネットワーク識別子４４、及びオリジナルネットワーク識別子４５を含む。
【００６０】
更に、自動変換部５１は、番組配列情報５２を元にして、番組リンク条件５４を生成する。番組リンク条件５４は、携帯端末４に放送番組連動データ９を返信する際に参照される条件である。また、データ放送コンテンツ５２を元に放送番組連動データ９を生成する。処理可能なデータフォーマットが異なる複数の種類の携帯端末４に対応するため、一のデータ放送コンテンツ５２からデータフォーマットが異なる複数の放送番組連動データ９を生成してよい。
【００６１】
図６を参照して放送通信システム５０の動作について説明する。放送局２及び携帯端末４の動作については放送通信システム１と同様であるため、ここでは主に通信サイト３の動作について説明する。
【００６２】
放送局２が、番組コンテンツ６、データ放送コンテンツ５２及び番組配列情報５３を搬送する放送波５を送出する。通信サイト３は、このうちデータ放送コンテンツ５２及び番組配列情報５３を元に、放送番組連動データ９及び番組リンク条件５４を生成する（ステップＳ１１）。
【００６３】
一方、携帯端末４は図４のステップＳ１及びＳ２を実行し、インターネット７を経由して通信サイト３に番組リンク情報８を送信する。これを受信した通信サイト３は、番組リンク情報８と番組リンク条件とを比較し、最適な放送番組連動データ９を選択（ステップＳ１２）して携帯端末４に送信する。
【００６４】
（３）第３の実施の形態
第２の実施の形態では、データ放送コンテンツ５２及び番組配列情報５３を放送波５にて通信サイト３に搬送した。これに対して、第３の実施の形態である放送通信システム６０では、図６に示すように、インターネット７を介して、データ放送コンテンツ５２及び番組配列情報５３を通信サイト３に送信する。その他の点では第２の実施の形態と同様であるので以後の説明は省略する。
【００６５】
（４）第４の実施の形態
第２及び第３の実施の形態では、通信サイト３は自動変換部５１を備え、データ放送コンテンツ５２及び番組配列情報５３を放送局２から受信すると、自動変換部５１にてこれらを放送番組連動データ９及び番組リンク条件５４に変換した。これに対して、第４の実施の形態である放送通信システム７０では、図８に示すように、放送局２が自動変換部５１を備え、予めデータ放送コンテンツ５２緒予備番組配列情報５３を放送番組連動データ９及び番組リンク条件５４に変換した後、インターネット７を介して通信サイト３に送信している。
【００６６】
放送通信システム７０の動作を図９を参照して説明すると、まず、放送局２は、自動変換部５１にて、データ放送コンテンツ５２緒予備番組配列情報５３を元に、放送番組連動データ９及び番組リンク条件５４を生成（ステップＳ２１）し、通信サイト３にインターネット７を介して送信する。この後の携帯端末４及び通信サイト３の動作は図４及び図６にて説明したものと同様である。
【００６７】
（５）第５の実施の形態
携帯端末４が受信する放送番組連動データ９の内容は、番組リンク情報８の内容で決定する。以上の実施の形態では、番組リンク情報８は大別して２種類の情報を含んでいた。第一に、番組を特定するための情報、即ち、イベント識別子４１、放送時刻情報４２、サービス識別子４３、ネットワーク識別子４４、及びオリジナルネットワーク識別子４５であり、第二に、携帯端末４で処理可能なデータフォーマットを指定する情報、即ち、端末処理可能フォーマット情報４６である。こうした上述の実施の形態に対して、本実施の形態では、更に、携帯端末４の現在位置を示す情報を番組リンク情報８に追加し、その所在地に応じたデータを携帯端末４に送信する。位置情報は、緯度および経度を使って表現してもよい。あるいは予めサービス運営範囲を複数のエリアに分け、各々のエリアに与えられた識別情報をもって位置情報としてもよい。
【００６８】
第５の実施の形態である放送通信システム８０について図１０を参照して説明すると、本システムは、放送通信システム１における携帯端末４及びインターネット７の間に、携帯端末４が移動通信網に接続するための基地局８１ａ、８１ｂ及び８１ｃが明示されている点が異なる。以下、基地局８１ａ、８１ｂ及び８１ｃのいずれかを特定する必要がない場合、基地局８１と総称する。尚、第１〜４の実施の形態にてこれらの基地局について触れていないのは、これら実施の形態について説明をする上で特に言及する必要がなかったためであり、第１〜４の実施の形態を実現する際にこれら基地局が不要であることを意図するものではない。
【００６９】
図１１に示すように、本実施の形態では、番組リンク情報８２は、図３で説明した各情報に加えて、位置情報４７を含む。位置情報４７は、携帯端末４の現在位置を示す情報であり、基地局８１にて番組リンク情報８に付加される。
【００７０】
図１２を参照して放送通信システム８０の動作を説明する。基地局２が番組コンテンツ６を放送し、これを携帯端末４が受信すると、携帯端末４は番組コンテンツ６から番組リンク情報８を生成する（ステップＳ３１）一方、通信サイト３のＵＲＬを取得（ステップＳ３２）して、最寄りの基地局８１にアクセスし、取得したＵＲＬを宛先として番組リンク情報８を送出する。今、最寄りの基地局を基地局８１ｂとする。
【００７１】
携帯端末４との間に無線回線を確立した基地局８１ｂは、受信した番組リンク情報８に対し、基地局８１ｂの位置を示す位置情報を付加する（ステップＳ３３）ことにより、位置情報を含む番組リンク情報８２を生成した後、目的のＵＲＬに送出する。
【００７２】
目的のＵＲＬを有する通信サイト３は、位置情報を含む番組リンク情報８２を受信すると、
通信サイト３には、番組コンテンツ６に対応する放送番組連動データ９が、複数の種類のデータフォーマットで予め格納されている。
【００７３】
更に、放送番組連動データ９は、受信地域毎に異なる内容が用意される。位置情報を含む番組リンク情報８２を受信すると、通信サイト３は、指定されたデータフォーマットで、かつ、指定された位置情報を含む地域向けに用意された放送番組連動データ９を選択（ステップＳ３４）し、通信回線を介して携帯端末４に返信する。尚、放送番組連動データ９を予め用意する代わりに、位置情報を含む番組リンク情報８２に応じて生成することとしてもよい。
【００７４】
最後に、携帯端末４は、放送番組連動データ９を受信するとこれを表示する（ステップＳ３５）。
【００７５】
（６）第６の実施の形態
第５の実施の形態では、基地局が、携帯端末の位置情報を番組リンク情報に追加した。これに対して、第６の実施の形態では、携帯端末自身が位置情報を番組リンク情報に追加する。システムの全体は放送通信システム８０と一部を除いて同様であるので図１０を参照するが、携帯端末の構成に違いがある。
【００７６】
第６の実施の形態に係る携帯端末９０の構成について、図１３を参照して説明すると、携帯端末９０は、位置情報生成部９１を備える点で他の実施の形態に係る携帯端末４と異なる。位置情報生成部９１は携帯端末９０の現在位置を示す位置情報を生成する要素であり、例えば、ＧＰＳ（ｇｌｏｂａｌ　ｐｏｓｉｔｉｏｎｉｎｇ　ｓｙｓｔｅｍ）端末がこれに相当する。あるいは、最寄りの基地局８１から予め基地局８１の位置情報を取得し、これを元に位置情報を生成するものを位置情報生成部９１としてもよい。
【００７７】
図１０、１３及び１４を参照して第６の実施の形態の動作を説明する。放送局２が放送した番組コンテンツ６と共にイベント識別子４１等の各情報を受信すると、携帯端末９０は、これらの情報に端末処理可能フォーマット情報４６を付加して番組リンク情報８を生成する（ステップＳ４１）。次に、携帯端末９０は通信サイト３のＵＲＬを取得する（ステップＳ４２）。更に、位置情報生成部９１が生成した位置情報を番組リンク情報に付加（ステップＳ４３）し、通信サイト３に送信する。位置情報を含む番組リンク情報を受信した通信サイト３は、この番組リンク情報に対応する放送番組連動データを選択或いは生成（ステップＳ４４）し、携帯端末９０に返信する。受信した放送番組連動データを携帯端末９０にて表示する（ステップＳ４５）ことにより、携帯端末９０の現在位置に応じた内容の放送番組連動データを表示することができる。
【００７８】
以上、本発明を実施の形態に基づいて説明したが、本発明はこれに限定されるものではなく、当業者の通常の知識の範囲内でその変更や改良が可能であることは勿論である。
【００７９】
例えば、第５及び６の実施の形態は、第１の実施の形態をベースにして、位置情報を番組リンク情報に付加するための要素を追加したが、本発明はこれに限定されるものではなく、この要素は第２乃至４の実施の形態のいずれであっても組み合わせることが可能である。
【００８０】
また、放送時刻情報の代わりに受信時刻情報を番組リンク情報に含めることとしてもよい。携帯端末は、移動通信端末単体で実現してもよいし、携帯情報端末やノート型コンピュータを移動通信端末と組み合わせにより構成してもよい。移動通信網の種類は問わないので、アナログ通信、デジタル通信、自動車電話、携帯電話、或いはＰＨＳ（ｐｅｒｓｏｎａｌ　ｈａｎｄｙ　ｐｈｏｎｅ　ｓｙｓｔｅｍ）のいずれであってもよい。
【００８１】
【発明の効果】
本発明における第一の効果は、端末の処理プログラムの軽量化が実現されることである。端末上で双方向サービスを実現するためには、指定されたネットワーク・アドレスにある通信サイトに番組リンク情報を送信すればよい。これに応答して、通信サイトは携帯端末が処理可能なフォーマットの放送番組連動データを返信する。このため、ＢＭＬを処理するために新たな処理エンジンを携帯端末に搭載する必要がない。従って、携帯端末の処理プログラムの規模を抑えることができる。このようにネットワークアドレスを放送波を介して受信する代わりに、ネットワークアドレスを記憶した記録装置を携帯端末が備えることとしてもよく、この場合は、携帯端末の処理プログラムの規模を更に抑えることができる。
【００８２】
本発明における第二の効果は、放送番組に連動した双方向サービスを実現するために、デジタル放送を使って配信すべき情報量が減らせることである。本発明では番組コンテンツを放送波を介して配信する一方で、データ放送コンテンツに相当する放送番組連動データを通信回線を介して配信するからである。これにより、デジタル放送回線に対する負荷を軽減することができる。
【００８３】
本発明における第三の効果は、放送事業者とは独立した第三機関が放送番組連動データを提供することが可能となることである。これは、番組リンク情報さえあれば、通信サイトにおいて放送番組に連動した双方国サービスを選択もしくは生成することが可能だからであり、従って放送事業者が通信サイトに関する情報を保持したり放送したりしなくても良いからである。
【００８４】
本発明における第四の効果は、放送番組を取得した位置に依存した双方向サービスを提供できることである。これは、通信サイトに放送番組連動データを要求するとき、携帯端末の位置情報を送ることにより実現される。
【図面の簡単な説明】
【図１】本発明の第１の実施の形態である放送通信システム１の機能ブロック図である。
【図２】携帯端末４の機能ブロック図である。
【図３】番組リンク情報８のデータ構成を説明する図である。
【図４】放送通信システム１による放送番組連動データ９の配信方法を説明するためのフローチャートである。
【図５】本発明の第２の実施の形態である放送通信システム５０の機能ブロック図である。
【図６】放送通信システム５０による放送番組連動データ９の配信方法を説明するためのフローチャートである。
【図７】本発明の第３の実施の形態である放送通信システム６０の機能ブロック図である。
【図８】本発明の第４の実施の形態である放送通信システム７０の機能ブロック図である。
【図９】放送通信システム７０による放送番組連動データ９の配信方法を説明するためのフローチャートである。
【図１０】本発明の第５の実施の形態である放送通信システム８０の機能ブロック図である。
【図１１】番組リンク情報８２のデータ構成を説明する図である。
【図１２】放送通信システム８０による放送番組連動データ９の配信方法を説明するためのフローチャートである。
【図１３】本発明の第６の実施の形態に係る携帯端末９０の機能ブロック図である。
【図１４】本発明の第６の実施の形態による放送番組連動データ９の配信方法を説明するためのフローチャートである。
【符号の説明】
１、５０、６０、７０、８０　放送通信システム
２　放送局
３　通信サイト
４、９０　携帯端末
５　放送波
６　番組コンテンツ
７　インターネット
８　番組リンク情報
９　放送番組連動データ
２１　チューナ部
２２　チャネル・デコーダ部
２３　放送パケット処理部
２４　放送データ解釈部
２５　番組リンク情報生成部
２６　クロック生成部
２７　時刻情報生成部
２８　通信プロトコル処理部
２９　通信パケット処理部
３０　チャネル処理部
３１　ＲＦ処理部
３２　提示処理部
４１　イベント識別子
４２　放送時刻情報
４３　サービス識別子
４４　ネットワーク識別子
４５　オリジナルネットワーク識別子
４６　端末処理可能フォーマット情報
５１　自動変換部
５２　データ放送コンテンツ
５３　番組配列情報
５４　番組リンク条件
８１ａ、８１ｂ、８１ｃ　基地局
９１　位置情報生成部
【図１】
2004120489.tif 000003
【図２】
2004120489.tif 000004
【図３】
2004120489.tif 000005
【図４】
2004120489.tif 000006
【図５】
2004120489.tif 000007
【図６】
2004120489.tif 000008
【図７】
2004120489.tif 000009
【図８】
2004120489.tif 000010
【図９】
2004120489.tif 000011
【図１０】
2004120489.tif 000012
【図１１】
2004120489.tif 000013
【図１２】
2004120489.tif 000014
【図１３】
2004120489.tif 000015
【図１４】
2004120489.tif 000016